(57)【要約】  本発明の頭皮ケア用多機能ブラシは十分な大きさの空気吸入口と空気吐出口が一直線上に配列されるように形成され、送風量を増やすことができるようにデザインされた送風ファン７０が用いられ、家庭用交流電源を用いる以外に低電力リチウムイオン２次電池を用いることによっても体温と類似する低温の体温風を得ることができ、振動と紫外線ＬＥＤランプが一緒に備えられて頭皮に対して多機能のケアをすることができ、多様な密度と素材のブラシ９０を容易に着脱に取り替えて用いることができることにより、頭皮と毛髪状態による多様なブラシを取り替えて用いることができる。
2019500124.tif 000002
【特許請求の範囲】
【請求項１】
上面に空気吸入口が形成され、下面が全面開口部を成し、内部が中空の上向き凹入状上部ボディーと、
下面に前記空気吸入口と同軸方向に形成された空気吐出口が形成され、上面が全面開口部を成し、内部が中空であり、前記上部ボディーの全面開口部と対向して接して内部に附属品の装着空間を形成するようにブラシヘッド本体を成す下向き凹入状下部ボディーと、
ブラケットを通じて前記空気吸入口の中央に装着されて前記上部ボディーの内側の下方へ伸びる駆動軸を有する電動ファンモーターと、
前記電動ファンモーターの下部に装着され、本体内部を前記電動ファンモーターの駆動軸が回転可能に貫通するセラミックスヒーターユニットと、
前記セラミックスヒーターユニットの下部でファンモーターの駆動軸が伸びる円筒状の空気吸入集中用ハウジングと、
前記円筒状空気吸入集中用ハウジング内に装着され、前記電動ファンモーターの駆動軸に締結されて前記円筒状空気吸入集中用ハウジング内で回転する送風ファンと、
前記円筒状空気吸入集中用ハウジングの下部でそのハウジングと同軸方向に装着される送風ファンカバーと、
前記下部ボディーの底面に着脱式で装着され、前記空気吐出口に対応する中央部貫通孔が形成され、底面に櫛の歯を有するブラシパッドとを含んでなることを特徴とする頭皮ケア用多機能ブラシを含んでなることを特徴とする頭皮ケア用多機能ブラシ。
【請求項２】
前記ファンモーターと、空気吸入口と、空気吐出口と、円筒状空気吸入集中用ハウジングと、送風ファンカバーと、ブラシパッドの中央部貫通孔はその中心軸が一致し、この中心軸が前記送風ファンによって供給される空気の送風軸になることを特徴とする請求項１に記載の頭皮ケア用多機能ブラシ。
【請求項３】
前記ブラシヘッド本体の外側に前記送風軸に直角する方向に取っ手部が延長形成され、この取っ手部の内部空間には２次電池及び家庭用交流電流を低電圧直流に変換するためのアダプダが装着されたことを特徴とする請求項２に記載の頭皮ケア用多機能ブラシ。
【請求項４】
前記附属品の装着空間内には前記下部ボディーと一体に形成された埋込壁（ｒｅｃｅｓｓ  ｗａｌｌ）が備えられ、この埋込壁内に嵌め込まれるように装着される振動モーターがさらに備えられてこの振動モーターの振動が埋込壁を経てブラシヘッド本体に伝達されることを特徴とする請求項１〜３の中の何れか一項に記載の頭皮ケア用多機能ブラシ。
【請求項５】
前記取っ手部の端部には家庭用交流電源を前記ファンモーター、セラミックスヒーターユニット、振動モーター及び２次電池充電用で印加して用いるための電源コード接続コンセントがさらに備えられることを特徴とする請求項４に記載の頭皮ケア用多機能ブラシ。
【請求項６】
前記セラミックスヒーターユニットによって加熱されて前記空気吐出口を通じて吐出される空気の空気吐出口側測定温度は３５℃−４６℃の低温風であることである特徴とする請求項１に記載の頭皮ケア用多機能ブラシ。
【請求項７】
前記下部ボディーの底面には下部ボディーを上部ボディーと結合するための複数のボルト孔が形成され、
前記ブラシパッドの上面には前記ボルト孔に対応する位置に複数突出されるように装着された磁石が備えられ、
前記磁石は前記ボルト孔内に挿入されてそのボルト孔の内部に締結されているボルトヘッドに磁力で接合されることによりブラシパッドがブラシヘッド本体に対して着脱式に結合されることを特徴とする請求項１に記載の頭皮ケア用多機能ブラシ。
【請求項８】
前記送風ファンは、
前記送風ファンモーターの駆動軸に挿入されてその駆動軸に固定される円筒状中央ハブと、
この中央ハブの外周面から中央ハブの中心軸に対して傾斜された角度で半径方向放射状に伸びる複数のファン翼と、
前記ファン翼の半径方向外側端部でそのファン翼と直角または鋭角を成すようにファン翼の端部から一体的に折曲延長形成されるが、前記円筒状空気吸入集中用ハウジングの内周面曲率と符合する曲面を成す送風量増進用チップウィング（ｔｉｐ  ｗｉｎｇ）と、を含んでなることを特徴とする請求項１に記載の頭皮ケア用多機能ブラシ。
【請求項９】
前記空気吐出口には中央環状円筒と、外郭環状円筒と、この中央環状円筒と外郭環状円筒を半径方向放射状に連結する複数の傾斜された翼肉を含んで成る送風ファンカバーが備えられることを特徴とする請求項６〜８の中の何れか一項に記載の頭皮ケア用多機能ブラシ。
【請求項１０】
前記送風ファンカバーの中央環状円筒の内部にはＬＥＤランプキットが装着されることを特徴とする請求項９に記載の頭皮ケア用多機能ブラシ。
【請求項１１】
前記ファン翼の各上面にはそのファン翼の幅方向に突出高さ（ｈ１）を有する補助突起翼がさらに形成され、この補助突起翼の高さ（ｈ１）はチップウィング（ｈ２）の高さより低いこと（ｈ１＜ｈ２）を特徴とする請求項８に記載の頭皮ケア用多機能ブラシ。
【請求項１２】
前記櫛の歯の末端は表面が滑らかな半球状または球状であり、ブラシで毛髪を梳く時の空気吐出口と頭皮との間の間隔は１０ｍｍ未満になることを特徴とする請求項１に記載の頭皮ケア用多機能ブラシ。
【発明の詳細な説明】
【技術分野】
【０００１】
本発明は髪を梳くブラシに関するものであり、特に低温送風で頭皮をケアすることができる多機能ブラシに関するもので、通常の高温熱風供給方式のヘアードライヤーと区分される。
【背景技術】
【０００２】
人々は自分の外見を美しく装いたがっており、特に顔と頭を美しくするのにたくさんの真心を注ぎ、時間と費用をかける。人の頭皮と毛髪は外部衝撃の吸収、紫外線からの保護、寒さからの保温など人体保護機能的な側面以外に外見を決める美容的側面で重要で、誰もふわふわで弾力があふれ、つややかな毛髪がほしがる。
【０００３】
しかしながら、魅力的な外見を決める要素である毛髪は単純にその毛髪のみを管理しては得られず、体全般を元気に保持する努力と共に何より毛髪を生長させる頭皮を元気に管理しなければならない。
【０００４】
一般に、人々は頭皮と毛髪の清潔及び美容のためにほとんど毎日頭皮と毛髪をシャンプーして洗浄した後、タオルを使ってある程度毛髪の水気を取った後十分な乾燥及びヘアースタイリング（ｈａｉｒ  ｓｔｙｌｉｎｇ）またはヘアーカーリング（ｈａｉｒ  ｃｕｒｌｉｎｇ）を図るために電気ヘアードライヤーを使って毛髪を乾かす。従来の大部分のヘアードライヤーはその使用過程で毛髪に対する乾燥とスタイリング（カーリング）のために直接毛髪に高温熱風を当てるだけで毛髪を生長させる頭皮を対象とする頭皮ケア道具ではなかった。
【０００５】
毛髪の乾燥とスタイリング（カーリング）のために直接毛髪に高温熱風を当てて乾燥させる従来のヘアードライヤーは毛髪に直接高温の熱風を当てるだけに何より迅速な毛髪乾燥効果とスタイリング効果を得ることができるという長所があるが、毛髪に直接高熱を加えるため、毛髪及び頭皮が過度に乾燥されたりいたみやすいが、このような損傷を避けるためにはヘアードライヤーを毛髪から相当距離を隔てた位置で熱風を当てなければならない。そのため、従来のヘアードライヤーはこのような一般的な使用実情から明らかなように、毛髪に対する乾燥機であって決して頭皮ケア道具ではなかった。
【０００６】
一方、前述したような従来のヘアードライヤーではなく頭皮ケア用多機能ブラシとして開発されている技術では、例えば株中央ビュテックによって（発明の名称：多機能ブラシの歯）特許出願されて（韓国特許出願第１０−２０１１−００７６７０５号）登録された特許第１０−１０７６０５７号の技術がある。
【０００７】
この韓国国内特許第１０−１０７６０５７号技術は、図１に示したように光ファイバからなる光ファイバブラシ４０を所定の間隔で通孔２１が形成された母板２０に装着して紫外線ＬＥＤランプ３０で出力される紫外線波長の光が光ファイバブラシ４０及びその母板２０に形成された通孔２１を通じて頭皮及び毛髪に照射されることにより頭皮及び毛髪に対する殺菌機能を有するようにし、母板を振動させるバイブレーター５０を備えて母板２０と一緒に振動される光ファイバブラシを通じて頭皮マッサージ機能を果たし、また前記母板に形成された通孔を通じて風が流出されるようにする送風ファン６０を備えて濡れた毛髪を乾燥させることができる機能を有する多機能ブラシに関するものである。
【０００８】
より具体的に、上記韓国国内特許第１０−１０７６０５７号による多機能ブラシの構成を説明すれば、この多機能ブラシは内部に収容空間１１が形成された櫛本体１０と、所定の弾性を有する材質で形成されて収容空間の上部を密閉し、所定の間隔で通孔２１が形成された母板２０と、収容空間に配置されて電源が供給されて紫外線波長の光を出力する紫外線ＬＥＤランプ３０と、毛髪を梳くことができるように所定の長さを有し、母板に所定の間隔で装着され、光ファイバからなって一端部は紫外線ＬＥＤランプで出力される光が入射されるように母板の後方に配置され、他端部は母板の前方に突出される複数の光ファイバブラシ４０と、電源を受けて母板を振動させるバイブレーター５０と、収容空間に配置されて電源を受けて回転され、通孔を通じて外部へ風が流出されるように母板を向ける方向に風を送風する送風ファン６０と、紫外線ＬＥＤランプと、バイブレーターと、送風ファンに電源を供給する電源供給部１００と、櫛本体の外側に備えられて使用者の操作によって電源供給部の電源供給を制御する作動スィッチ２００とを含むことを特徴とする。
【０００９】
前記韓国国内特許第１０−１０７６０５７号による多機能ブラシは、従来よく見られるヘアードライヤーと違って発熱要素を全く使わないで通孔を通じて常温の風を毛髪に当てることにより毛髪に対する熱害を防止する一方、光ファイバブラシ４０に紫外線ＬＥＤランプ３０から出る紫外線を当てることにより照射される紫外線が毛髪に塞がないで頭皮まで直接伝達されることができるようにすることによって、通孔２１を通じて照射される紫外線は毛髪に、ブラシ４０を通じて照射される紫外線は頭皮にそれぞれ作用するようにして毛髪及び頭皮に対する均一な殺菌作用を図り、一方、毛髪を梳くブラシ４０が母板の振動を頭皮に伝達する振動伝達子の機能を担当するようにした技術である。
【００１０】
この韓国国内特許第１０−１０７６０５７号による多機能ブラシの技術は、一般的な櫛の機能以外に殺菌、マッサージまたは乾燥用櫛として選択して用いることができる多機能ブラシであって、特に毛髪に対して所定距離を隔てて熱風を当てることで毛髪乾燥を行う通常の熱風乾燥式ヘアードライヤーとは違って常温風と紫外線の照射によって毛髪と頭皮を一緒にケアする頭皮ケア用多機能ブラシを追い求めた点で従来の高温熱風乾燥式ヘアードライヤーと差別される技術的意義がある。
【００１１】
しかしながら、この韓国国内特許第１０−１０７６０５７号による多機能ブラシの技術では、送風ファン３０という構成要素が概念的に提示されているが、この送風ファンが風を流通するためには一次的に外部の空気を収容空間１１の内部に引き入れるための相当な大きさの空気吸入口を必要とするはずであるが、このような空気吸入口に対する何らの提案や説明がなく、また、所定の空気吸入口が備えられる場合にはその空気吸入口の存在によって収容空間１１が密閉された空間ではない開口空間になるため、送風ファンが駆動されても母板２０上のブラシの間の小さな通孔２１を通じて送風圧をほとんど作用することができなくて、結局、送風ファンの駆動時に空気の流れがむしろ空気吸入口を通じて複雑な騷音の発生とともに逆流されてしまう問題が予想される。また、この韓国国内特許第１０−１０７６０５７号による多機能ブラシの技術では、ブラシ４０がＬＥＤランプから出る紫外線光線を伝送する光ファイバからなると記載されているが、光ファイバの従来一般的な用途が光通信ケーブルのような情報通信分野に用いられる素材として柔軟性のある無機纎維であり、このような柔軟性光ファイバを髪の毛を梳くために相当剛性（ｓｔｉｆｆｎｅｓｓ）が要求されるブラシとして用いるという主張は納得しにくい。また、この韓国国内特許第１０−１０７６０５７号による多機能ブラシの技術では、比較的狭い収容空間１１内にどんな構成と構造の送風ファンをどのような方式で装着するか、母板を振動させるバイブレーター５０はどのような構成によって母板を振動させることができるのかなどに対する何らの具体的で繰り返し実現可能な技術内容の提示がなく、このような要素の羅列に過ぎず、その実質的な実用化が非常に疑問視される卓上発明であるとせざるを得ない。
【００１２】
また、この韓国国内特許第１０−１０７６０５７号による多機能ブラシの技術で、毛髪を梳くための所定の長さで母板２０に装着される光ファイバブラシ４０はその一端部からＬＥＤランプで出力される紫外線が入射されるようにするが、このためにはその光ファイバブラシ４０の一端部が光源であるＬＥＤランプに直接接して光を入射されなければならない構成、即ち光ファイバブラシ４０とＬＥＤランプ及びその駆動ＰＣＢなどと物理的に一体化された固定構造に判断されるが、このような固定構造では光ファイバブラシ４０の構成が難しいだけでなく、その汚染や破損時に取り替えが難しいという問題がある。
【００１３】
また、この韓国国内特許第１０−１０７６０５７号による多機能ブラシの技術では加熱要素を全く採択していないため、従来の熱風乾燥式ヘアードライヤーの利点は全く享受することができないが、例え高温熱風ではない所定の低温加熱要素をさらに付け加えて頭皮に対して例えば４０℃前後の体温風を頭皮に供給しようとする場合、そういう加熱要素を比較的狭い嵩の平たいブラシタイプ収容空間１１内にどんな構成でどのように装着することができ、また送風ファン、送風ファンの駆動モーター、バイブレーター、ＬＥＤランプ、ＰＣＢ基板などのような他の必須構成要素とはどんな相互有機的な位置関係や有機的結合関係を有することができるかに対して全く開示していない。
【００１４】
本発明は韓国国内特許第１０−１０７６０５７号による多機能ブラシの技術のように基本的に毛髪だけでなく、特に頭皮に対する多機能ケア機能をすることができる頭皮ケア用多機能ブラシを提供する技術であるが、この韓国国内特許第１０−１０７６０５７号による櫛とは違って実質的に実用化が可能であり、前述したような構造的機能的問題が全部解決された実現可能な頭皮ケア用多機能ブラシを提供する。
【００１５】
本発明は体温と同じであるかこれよりやや高い低温風及びＬＥＤランプの光を毛髪と頭皮に直接当てることにより毛根部を最適な温度でケアすることができる頭皮ケア用ブラシを提供する技術である。特に低温加熱要素であるヒーター、送風要素である駆動モーターと送風ファン、空気引入口及び空気空気吐出口、駆動ＰＣＢ、１１０Ｖ〜２２０Ｖの家庭用電源を印加して用いる通常の電源コード接続方式外に３−１０Ｖ、２−８Ａｈのリチウムイオン２次電池を用いることができるワイヤレス電源供給構成及びバイブレーター振動部構成などが有機的に実際に実現可能で、コンパクトに配置（結合）された最適なブラシタイプの頭皮ケア機を提示し、また本発明は目的製品であるブラシタイプの頭皮ケア機に特に適合するように送風効率を高めることができる新しい送風ファン構造が提示される。
【発明の概要】
【発明が解決しようとする課題】
【００１６】
本発明は以上のような韓国国内従来技術の問題点に鑑みて次のような目的を有する頭皮ケア用多機能ブラシを提供しようとする。
【００１７】
第一、本発明は低温加熱要素であるヒーター、送風要素である駆動モーターと送風ファン、空気引入口及び空気送風吐出口、駆動ＰＣＢ、電力供給構成及びＬＥＤランプ、バイブレーター振動部構成などが有機的に実際に実現可能で、コンパクトに配置（結合）されたブラシタイプの頭皮ケア機を提供することを目的とする。
【００１８】
第二、本発明は十分な大きさの空気引入口面積と十分な大きさの空気吐出口面積を有し、送風ファンの駆動時に空気の流れが毛髪及び頭皮に向けて一方向に円滑で豊かにまた低騷音で供給されることができるブラシタイプの頭皮ケア機を提供することを目的とする。
【００１９】
第三、本発明は体温に近い所定の低温熱風（体温風）を供給することができるブラシタイプの頭皮ケア機を提供することを目的とする。
【００２０】
第四、本発明は毛髪を梳くブラシを必要によって多様な強度と多様なブラシ密度及び多様な素材の櫛で容易に取り替えて用いることができて頭皮ケアに最適なブラシを提供することができ、櫛構成部のみを別途に取り外して容易に修理または洗浄することができるブラシタイプの頭皮ケア機を提供することを目的とする。
【００２１】
第五、本発明は１１０Ｖ〜２２０Ｖの家庭用電源を印加して用いる通常の電源コード接続方式以外に３−１０Ｖ、２−８Ａｈのリチウムイオン２次電池を用いることができるワイヤレス電源ソースを兼ねて用いることができるマルチソースブラシタイプの頭皮ケア機を提供することを目的とする。
【００２２】
第六、本発明は目的製品であるブラシタイプの頭皮ケア機に特に適合するように送風効率を高めることができる新しい構造の送風ファンを提供することを目的とする。
【課題を解決するための手段】
【００２３】
本発明は以上のような目的を達するために、本発明の一特徴によって、上面に空気吸入口が形成され、下面が全面開口部を成し、内部が中空の上向き凹入状上部ボディーと、
【００２４】
下面に前記空気吸入口と同軸方向に形成された空気吐出口が形成され、上面が全面開口部を成し、内部が中空であり、前記上部ボディーの全面開口部と対向して接して内部に附属品の装着空間を形成するようにブラシヘッド本体を成す下向き凹入状下部ボディーと、
【００２５】
ブラケットを通じて前記空気吸入口中央に装着されて前記上部ボディー内側の下方へ伸びる駆動軸を有する電動ファンモーターと、
【００２６】
前記電動ファンモーターの下部に装着され、本体内部を前記電動ファンモーターの駆動軸が回転可能に貫通するセラミックスヒーターユニットと、
【００２７】
前記セラミックスヒーターユニットの下部でファンモーターの駆動軸が伸びる円筒状の空気吸入集中用ハウジングと、
【００２８】
前記円筒状空気吸入集中用ハウジング内に装着され、前記電動ファンモーターの駆動軸に締結されて前記円筒状空気吸入集中用ハウジング内で回転する送風ファンと、前記円筒状空気吸入集中用ハウジングの下部でそのハウジングと同軸方向に装着される送風ファンカバーと、
【００２９】
前記下部ボディーの底面に着脱式に装着され、前記空気吐出口に対応する中央部貫通孔が形成され、底面に櫛の歯を有するブラシパッドと、
【００３０】
を含んでなることを特徴とする頭皮ケア用多機能ブラシによって具現される。
【００３１】
本発明は以上のような目的を達するために、本発明のまた他の一特徴によって、
【００３２】
前記構成において、ファンモーターと、空気吸入口と、空気吐出口と、円筒状空気吸入集中用ハウジングと、送風ファンカバーとブラシパッドの中央部貫通孔はその中心軸が一致し、この中心軸が前記送風ファンによって供給される空気の送風軸になることを特徴とする頭皮ケア用多機能ブラシによって具現される。
【００３３】
本発明は以上のような目的を達するために、本発明のまた他の一特徴によって、
【００３４】
前記ブラシヘッド本体の外側に前記送風軸に直角する方向に取っ手部が延長形成され、この取っ手部の内部空間には２次電池及び家庭用電流を低電圧直流に変換するためのアダプダが装着されたことを特徴とする頭皮ケア用多機能ブラシによって達成される。
【００３５】
本発明は以上のような目的を達するために、本発明のまた他の一特徴によって、
【００３６】
前記附属品の装着空間内には前記下部ボディーと一体に形成された埋込壁（ｒｅｃｅｓｓ  ｗａｌｌ）が備えられ、この埋込壁内に嵌め込まれるように装着される振動モーターがさらに備えられて、この振動モーターの振動が埋込壁を経てブラシヘッド本体に伝達されることを特徴とする頭皮ケア用多機能ブラシによって具現される。
【００３７】
本発明は以上のような目的を達するために、本発明のまた他の一特徴によって、前記取っ手部の端部には家庭用電源を前記ファンモーター、セラミックスヒーターユニット、振動モーター及び２次電池充電用に印加して用いるための電源コード接続コンセントがさらに備えられることを特徴とする頭皮ケア用多機能ブラシによって具現される。
【００３８】
本発明は以上のような目的を達するために、本発明のまた他の一特徴によって、
【００３９】
前記セラミックスヒーターによって加熱されて前記空気吐出口を通じて吐出される空気の空気吐出口側測定温度は３５℃−４６℃の低温風であることである特徴とする頭皮ケア用多機能ブラシによって具現される。
【００４０】
本発明は以上のような目的を達するために、本発明のまた他の一特徴によって、
【００４１】
前記下部ボディーの底面には下部ボディーを上部ボディーと結合するための複数のボルト孔が形成され、
【００４２】
前記ブラシパッドの上面には前記ボルト孔に対応する位置に複数突出されるように装着された磁石が備えられ、
【００４３】
前記磁石は前記ボルト孔内に挿入されてそのボルト孔の内部に締結されているボルトヘッドに磁力で接合されることによりブラシパッドがブラシヘッド本体に対して着脱式に結合されることを特徴とする頭皮ケア用多機能ブラシによって具現される。
【００４４】
本発明は以上のような目的を達するために、本発明のまた他の一特徴によって、
【００４５】
前記送風ファンは、
【００４６】
前記送風ファンモーターの駆動軸に挿入されてその駆動軸に固定される円筒状中央ハブと、
【００４７】
この中央ハブの外周面から中央ハブの中心軸に対して傾斜された角度で半径方向放射状に伸びる複数のファン翼と、
【００４８】
前記ファン翼の半径方向外側端部でそのファン翼と直角または鋭角を成すようにファン翼の端部から一体的に折曲延長形成されるが、前記円筒状空気吸入集中用ハウジングの内周面曲率と符合する曲面を成す送風量増進用チップウィング（ｔｉｐ  ｗｉｎｇ）と、
【００４９】
を含んでなることを特徴とする頭皮ケア用多機能ブラシによって具現される。
【００５０】
本発明は以上のような目的を達するために、本発明のまた他の一特徴によって、
【００５１】
前記空気吐出口には中央環状円筒と、外郭環状円筒と、この中央環状円筒と外郭環状円筒を半径方向放射状に連結する複数の傾斜された翼肉を含んでなる前記送風ファンカバーが備えられることを特徴とする頭皮ケア用多機能ブラシによって具現される。
【００５２】
本発明は以上のような目的を達するために、本発明のまた他の一特徴によって、
【００５３】
前記送風ファンカバーの中央環状円筒の内部にはＬＥＤランプキットが装着されることを特徴とする頭皮ケア用多機能ブラシによって具現される。
【発明の効果】
【００５４】
本発明の以上のような目的及び構成によって構成される頭皮ケア用多機能ブラシは体温に近い低温熱風（体温風）を供給することができて従来の高温風による毛髪乾燥機より毛髪の損傷を減らすことができ、頭皮に最大限に近接して体温風を供給することにより毛髪の生長と頭皮健康を図ることができる。
【００５５】
また、本発明によれば十分な量の空気を毛髪及び頭皮に向けて一方向に円滑で豊かにまた低騷音で供給することができるコンパクトなブラシタイプの頭皮ケア機を得ることができる。
【００５６】
また、本発明によれば多様な強度とブラシ密度及び素材のブラシを容易に取り替えて用いることができて、頭皮ケアに最適なブラシを提供することができ、ブラシのみを別途に取り外して容易に洗浄することができて衛生的で、耐久的で、機能的な頭皮ケア機を得ることができる。
【００５７】
また、本発明によれば１１０Ｖ〜２２０Ｖの家庭用電源を印加して用いる通常の電源コード接続方式以外に３−１０Ｖ、２−８Ａｈのリチウムイオン２次電池を用いることができる携帯用ワイヤレス頭皮ケア機を得ることができる。
【００５８】
また、本発明によれば頭皮ケア機に特に適合するように設計されて送風効率を高めることができる新しい構造のブラシ用送風ファンを提供することができる。
【００５９】
本発明のまた他の構成と利点は添付した図面を用いた後述する発明の詳細な発明から明確に理解され得る。
【図面の簡単な説明】
【００６０】
【図１】韓国国内特許第１０−１０７６０５７号による多機能ブラシの全体構成を示した分解斜視図である。
【図２】本発明による頭皮ケア用多機能ブラシの平面図及びＡ−Ａ線に沿う全体縦断面図である。
【図３】本発明による頭皮ケア用多機能ブラシをヘッド部で斜めに見た分解斜視図である。
【図４】本発明による頭皮ケア用多機能ブラシを取っ手側で斜めに見た分解斜視図である。
【図５】本発明による頭皮ケア用多機能ブラシを底面側で斜めに見た分解斜視図である。
【図６】本発明による頭皮ケア用多機能ブラシにおいて、ブラシ本体の内部に装着される主要部品の分解斜視図であって、送風ファンモーター軸が貫通されるセラミックスヒーターユニット、円筒状空気吸入集中用ハウジング、送風ファン及び送風ファンカバーをその結合順に示した分解斜視図である。
【図７】本発明による頭皮ケア用ブラシに用いられる送風ファンであって、その平面図、立面図、斜視図及びチップウィングの草取り鎌構造斜視図である。
【図８】本発明による頭皮ケア用多機能ブラシに用いられる送風ファンｃを従来一般的な送風ファンａ、ｂの場合と比べた送風速度比較図面である。
【図９】本発明による頭皮ケア用多機能ブラシにおいて、ブラケットに支持される送風ファンモーター、セラミックスヒーターユニット、円筒状空気吸入集中用ハウジング、送風ファン及び送風ファンカバーをその結合順に示してその上下方向で見た分解斜視図（ａ）（ｂ）である。
【図１０】本発明による頭皮ケア用多機能ブラシにおいて、ブラケットに支持される送風ファンモーター、セラミックスヒーターユニット、円筒状空気吸入集中用ハウジング、送風ファン及び送風ファンカバーをその結合順に示した正面図（ａ）と側面図（ｂ）及び風の流動を示した断面図（ｃ）である。
【図１１】本発明による頭皮ケア用多機能ブラシに用いられる送風ファンカバーであって、その平面図（ａ）、立面図（ｂ）、平断面図（ｃ）及び斜視図（ｄ）である。
【図１２】本発明による頭皮ケア用多機能ブラシにおいて下部ボディーの底面に着脱式に装着されるブラシパッドの着脱部の構成を上下方向で示した部分拡大斜視図である。
【発明を実施するための形態】
【００６１】
図２は本発明による頭皮ケア用多機能ブラシ３００の平面図及びこの平面図のＡ−Ａ方向に沿う縦断面図であり、図３〜図５は本発明による頭皮ケア用多機能ブラシ構成の理解に役に立つようにブラシをそれぞれ方向を異なるようにして斜めに見た分解斜視図あり、図３は本発明による頭皮ケア用多機能ブラシ３００をヘッド部で見た分解斜視図であり、図４は取っ手側で見た分解斜視図であり、図５は底面側で見た分解斜視図である。
【００６２】
これら図２〜図５から分かるように、本発明による頭皮ケア用多機能ブラシ３００は上面に空気吸入口１２が形成され、下面が全面開口部１４を成し、内部１６が中空の上向き凹入状上部ボディー１０と、下面に前記空気吸入口１２と同軸方向に形成された空気吐出口２２が形成され、上面が全面開口部２４を成し、内部２６が中空で、前記全面開口部２４が前記上部ボディーの全面開口部１２と対向して接して嵌め込まれることにより内部に附属品の装着空間を形成してブラシヘッド本体３０を成す下向き凹入状下部ボディー２０と、ブラケット４２を通じて支持されることで前記空気吸入口１２の中央に装着されて前記上部ボディー１０の内部１６空間の下方へ伸びる駆動軸４４を有する電動ファンモーター４０と、前記電動ファンモーター４０の下部に装着され、本体内部を前記電動ファンモーターの駆動軸４４が回転可能に貫通するセラミックスヒーターユニット５０と、前記セラミックスヒーターユニットの下部でファンモーター４０の駆動軸４４が内部を通過するように伸びる円筒状空気吸入集中用ハウジング６０と、前記円筒状空気吸入集中用ハウジング６０内に装着され、前記電動ファンモーター４０の駆動軸４４に締結されて前記円筒状空気吸入集中用ハウジング６０内で回転する送風ファン７０と、前記円筒状空気吸入集中用ハウジング６０の下部でそのハウジングと同軸方向に装着される送風ファンカバー８０と、前記下部ボディー２０の底面に着脱式に装着され、前記空気吐出口２２に対応する中央部貫通孔９２が形成され、底面に櫛の歯９４を有するブラシパッド９０を含んでなることを特徴とする頭皮ケア用多機能ブラシによって具現される。
【００６３】
前記のような本発明による頭皮ケア用多機能ブラシ２００の上部ボディー１０及び下部ボディー２０は金型射出によって製造され、これら上部ボディー及び下部ボディー相互間の結合またはこれら上部ボディー及び下部ボディーの結合からなる内部で各構成部品を上部ボディー及び／または下部ボディーに安着するか位置決定するための突起、陷沒部（ｒｅｃｅｓｓ）またはボルト締結用貫通柱を含む貫通穴、各構成部品相互間を結合するための結合部などは一々その図面符号と構成を説明しなくても金型射出分野で通常の知識を有する者にとって容易な事項であるので、特別に言及する必要がある場合を除き具体的な表現と図面での図示を省略する。
【００６４】
図２〜図５において、図面符号２はファンモーター４０を外部に露出されないように保護する一方、空気吸入口１２の方を空気連通可能に覆うための吸気カバー２で、上部ボディーの上部面の曲率に符合する曲率を有するものが製品のデザイン的一体感を図る面で好ましく、放射状に複数形成される吸気孔４はファンモーター４０の駆動によってヘッドの内部に生ずる負圧によって空気が十分で円滑にヘッド３０の内部に引入されることができる大きさと個数で形成される。また、吸気カバー２に形成される吸気孔４の大きさ、配列、形状、数及び吸気カバーの上部ボディーに対する結合方式構成などはデザイン的観点からいくらでも可変的に選択することができる設計要素である。
【００６５】
図２〜図５において図面符号１００は振動モーターを示したもので、この振動モーターの駆動軸の外周面には偏心重量錘１０２が装着されている。また、図面符号１０４はこの振動モーターをぴったり合うように収容する埋込壁（ｒｅｃｅｓｓ  ｗａｌｌ）であって、下部ボディー２０と一体に形成されることにより、偏心重量錘１０２の偏心駆動によって生ずる振動がこの埋込壁（ｒｅｃｅｓｓ  ｗａｌｌ）を通じて下部ボディー２０に伝達され、次にこの下部ボディー２０の底面に附着されたブラシパッド９０を振動させることにより本発明による頭皮ケア用多機能ブラシ２００で毛髪を梳く間、櫛の歯が頭皮を振動刺激するようになる。これら図面及び後述する図１２を通じて分かるように、櫛の歯９４の端部は半球状、または球状で、滑らかに仕上げられて、頭皮に接触されて梳いたり振動される時頭皮に柔らかく接触されて頭皮をマッサージすることにより頭皮の血液循環などに役に立つことができる。
【００６６】
また、これら図面から分かるように、本発明による頭皮ケア用多機能ブラシ２００はヘッド３０の外側でそのヘッド内に装着される各構成部品の装着方向及び空気の流れ方向と直角する方向に取っ手Ｈがヘッド３０と一体に延長され、この取っ手部の端部には家庭用電源を印加して用いるためのＡＣ電源接続ソケット１２２が備えられ、この取っ手の内部にはリチウムイオンポリマー電池１２４が装着されてこのリチウムイオンポリマー電池１２４が家庭用ＡＣ電源を通じて充電されることにより本発明による頭皮ケア用多機能ブラシ２００はこのリチウムイオンポリマー電池１２４の充電電力で電源コードなしに携帯用として使われることができる。本発明による頭皮ケア用多機能ブラシ２００で用いられる前記リチウムイオンポリマー電池１２４は３−１０Ｖ、２−８Ａｈの容量のものが用いられることができる。
【００６７】
図面符号１２６は家庭用ＡＣ電源接続プラグを示し、図面符号１２８は操作ボタンで、図面符号１３０は操作状態を知らせるシグナルランプである。また、図面符号１３２、１３４はそれぞれ交流ＡＣ電源ＰＣＢ基板と直流ＤＣ電源ＰＣＢ基板であって、本発明による頭皮ケア用多機能ブラシ２００は家庭用交流ＡＣ電源だけでなく２次電池であるリチウムイオンポリマー電池１２４を選択的に用いることができる。これら各基板の回路設計は当該分野において通常の知識を有する者にとって容易であるので、その具体的な図面と説明は省略する。本発明は従来通常のヘアードライヤーが高温熱風を送風するのと違って体温程度の低温熱風を供給することを特徴とし、また、後述することからよく分かるように、送風効率を高めることができるように特別に設計された送風ファン７０を用いるので、低電力のリチウムイオンポリマー電池１２４を用いても少なくとも約１０分以上の時間の間前記のようなセラミックスヒーターユニット５０による低温熱の発生、送風機７０の駆動、振動モーター１００の駆動及びＬＥＤランプ１１０（図６）を一緒に駆動することができることを特徴とする。本発明はセラミックスヒーターユニット５０によって加熱されて空気吐出口２２を通じて吐出される空気の空気吐出口側測定温度は３５℃−４６℃の低温風であることを特徴とする。
【００６８】
図６は本発明による頭皮ケア用多機能ブラシ２００において、ブラシ本体の内部に装着される主要部品分解斜視図であって、送風ファンモーター軸４４が貫通延長するセラミックスヒーターユニット５０、円筒状空気吸入集中用ハウジング６０、送風ファン７０及び送風ファンカバー８０をその結合順に示した分解斜視図である。
【００６９】
前記送風ファンカバー８０は内部の中央環状円筒８２と、外郭環状円筒８４と、この中央環状円筒８２と外郭環状円筒８２を半径方向放射状に連結する複数の傾斜された翼肉８６とを含んでなるが、本発明では前記中央環状円筒８２の内側にビタミンＤの合成に有益な６３０ｎｍ−６６０ｎｍ波長のＬＥＤランプ及びそのＰＣＢ基板１１０が装着される。このように、本発明による頭皮ケア用多機能ブラシ２００においてはＬＥＤランプ及びそのＰＣＢ基板１１０がブラシヘッドの下部ボディー２０の中央部に直接外部に露出されるように装着されることにより頭皮に対する空気吐出口の接近距離が最短距離（１０ｍｍ未満で、好ましくは５ｍｍ内外）になることができて、頭皮に対する低温熱マッサージケアに非常に効果的な位置構成である。また、本発明による頭皮ケア用多機能ブラシ２００においては送風ファン７０によって供給される空気が後述するように特別に設計された送風ファン７０の構成及び前述した送風ファンカバー８０の構成によって送風ファンカバー８０の中央側より送風ファンカバー８０の傾斜された翼肉８６の間の放射状隙間を通じて円滑に吐出されるので、ＬＥＤランプ及びそのＰＣＢ基板１１０がブラシヘッドの下部ボディーの中央部に位置されても大きな送風抵抗を起こさないという長所がある。これは比喩すればＬＥＤランプ及びそのＰＣＢ基板１１０がまるで台風の目の位置に置かれるのと同じである。
【００７０】
図７は本発明による頭皮ケア用多機能ブラシに用いられる送風ファン７０を示した図面であって、その平面図、立面図、斜視図及び草取り鎌構造斜視図であり、図８は本発明による頭皮ケア用多機能ブラシに用いられる送風ファンｃを従来一般的な送風ファン（ａ）（ｂ）の場合と比べた送風速度比較図面である。
【００７１】
本発明による送風ファン７０は、図７から理解することができるように、前記送風ファンモーター４０の駆動軸４４に挿入されてその駆動軸に固定される円筒状中央ハブ７２と、この中央ハブの外周面から中央ハブの中心軸に対して傾斜された角度で半径方向放射状に伸びる複数のファン翼７４と、前記ファン翼の半径方向外側端部でそのファン翼と直角または鋭角を成すようにファン翼で端部から一体的に折曲延長形成されるが、前記円筒状空気吸入集中用ハウジング６０の内周面曲率と符合する曲面を成す送風量増進用草取り鎌型チップウィング（ｔｉｐ  ｗｉｎｇ）７６とを含んでなることを特徴とする。また、図面符号７８は前記ファン翼７４の上面にそのファン翼の幅方向に突出して形成される空気流動誘導用補助突起翼であって、その突出高さｈ１は端部に形成されたチップウィング７６の高さｈ２より低い（ｈ１＜ｈ２）。本発明による送風機のこのような三重翼の構成（ファン翼＋補助突起翼＋チップウィング）によって少ない電力によっても空気送出の直進性と速度が向上される。
【００７２】
即ち、図８から分かるように、本発明による頭皮ケア用多機能ブラシに用いられる送風ファンｃを従来一般的な送風ファンａ、ｂの場合と比べてその送風量（送風速度）を比べて見れば、仕様が対等な従来の送風ファン二種類と本発明による送風ファンを同じ低電力を用いてその送風速度を測定して見た結果、従来の送風ファンは２．７ｍ／ｓｅｃ、４．２ｍ／ｓｅｃであったが、これに対し、本発明による送風ファンの場合にはその送風速度が６．７ｍ／ｓｅｃで、従来に比べて約１．５倍〜２．５倍の優れた送風効率を見せた。このような結果は何より低電力リチウムイオン２次電池を用いることができるようにする根拠となり、送風ファン４０の駆動電力を少なく消耗するように設計することができ、他の有機的構成部品の関連仕様もそれだけ小型化することができる実質的根拠となり、本発明によって低電力のコンパクトな頭皮ケア用多機能ブラシが具現される。本発明による頭皮ケア用多機能ブラシは従来の高温熱風方式の嵩の大きいヘアードライヤーに比べてその電力消耗量が約１／１０程度で、コンパクトである。
【００７３】
図９は本発明による頭皮ケア用多機能ブラシにおいてブラケット４２に支持された送風ファンモーター４０、セラミックスヒーターユニット５０、円筒状空気吸入集中用ハウジング７０、送風ファン７０及び送風ファンカバー８０をその結合順で示してその上下方向で見た分解斜視図（ａ）（ｂ）であり、図１０は本発明による頭皮ケア用多機能ブラシにおいてブラケット４２に支持された送風ファンモーター４０、セラミックスヒーターユニット５０、円筒状空気吸入集中用ハウジング６０、送風ファン７０及び送風ファンカバー８０をその結合順で示して見た正面図（ａ）と側面図（ｂ）及び風の流動を示した断面図（ｃ）である。
【００７４】
これら図面から分かるように、空気吸入口１２と空気吐出口２２及びこれらの間に装着されるファンモーター４０、セラミックスヒーターユニット５０、円筒状空気吸入集中用ハウジング６０、送風ファン７０及び送風ファンカバー８０はその中心軸Ａが一致し、この中心軸Ａが前記送風ファン７０の駆動によってヘッド内に負圧を起こして空気吸入口１２から空気を吸引して下部に供給する空気の送風軸Ａになり、前述したように、本発明によって特別に設計された送風ファン７０の三重翼及びチップウィング７６の空気に対する草取り鎌掛け式作用により風をより早く一方向に十分供給することができるもので、その送風の概念は図１０ｃに示されている。
【００７５】
図１１は本発明による頭皮ケア用多機能ブラシに用いられる送風ファンカバー８０を示した図面で、ａはその平面図、ｂは立面図、ｃは平断面図、及びｄは斜視図である。
【００７６】
これら図面から分かるように、本発明による頭皮ケア用多機能ブラシにおいて送風ファンカバー８０は前述した送風ファン７０の下部でその送風ファンの送風軸Ａと同軸上に空気吐出口２２にぴったり合うように挿入装着される排気カバーであって、中央環状円筒８２と、外郭環状円筒８８と、この中央環状円筒と外郭環状円筒を半径方向放射状に連結する複数の傾斜された翼肉８６とを含んでなることを特徴とする。このような構成の送風ファンカバー８０によって前記送風ファン７０と結合して翼肉８６の傾斜面の構造が空気を渦巻状に変換させて吐出空気の方向性を保持し、また空気の吐出速度を増進するのに寄与する。
【００７７】
一方、この送風ファンカバーの前記中央環状円筒８２の内部には図６の説明で言及したように、ＬＥＤランプ及びそのＰＣＢ基板１１０が装着されるが、図１１ではその図示を省略した。
【００７８】
図１２は本発明による頭皮ケア用多機能ブラシにおいて、下部ボディーの底面に着脱自在に装着されるブラシパッド９０の着脱部の構成を上下方向で示した部分拡大斜視図であり、図１２から分かるように、ヘッドの下部ボディー２０の底面には下部ボディーを上部ボディーと結合するための複数のボルト孔１４２が形成され、前記ブラシパッド９０の上面には前記ボルト孔１４２に対応する位置に複数突出されるように装着された磁石９６が備えられ、この磁石９６は前記ボルト孔内に挿入されてそのボルト孔の内部に締結されている金属材ボルト（図示しない）のヘッドに磁力で接合されることによりブラシパッド９０がヘッド本体の下部ボディー２０の底面に着脱自在に結合されることを特徴とする。
【００７９】
このような本発明による頭皮ケア用多機能ブラシのブラシパッド９０の着脱部の構成によって、ケアしようとする頭皮と発毛状態（乾性、脂性、毛髪の多寡など）乃至頭皮マッサージなど使用者の必要に応じて素材と柔らかい程度が異なるブラシが装着されたブラシパッド９０を容易に取り替えて用いることができるという利点があり、ブラシパッド９０の洗浄、修理時にも便利にそのブラシパッド９０のみを取り外して用いることができて便利である。本発明においてブラシパッド９０の上面に装着される磁石は、例えばネオジム磁石のような強力磁石を用いることが好ましい。
【００８０】
また、本発明は上述した構成のように、ブラシパッド９０の構成が中空のドーナツ型パッドであって、中が空の所ではひたすら風とＬＥＤランプ光のみが他の構成要素により妨害されることなく毛髪と頭皮に豊かに供給されることができ、毛髪及び頭皮に対するブラッシングは前記中が空の所の外側に形成された櫛の歯によって行われるという特徴がある。またこのような構成においてブラシパッド９０の構成が中が空の所には前述した送風ファンカバー８０の傾斜された翼肉８６によって髪の毛がヘッドの内部に入ることも効果的に防止される。
【００８１】
以上のように、本発明による頭皮ケア用多機能ブラシは添付図面で表現された一実施例を参照して説明したが、本発明の範囲が必ずしもこれら図面に表現されたものに限られることに解釈してはならなく、本明細書の全般的趣旨から把握することができる本発明の特徴として強調されて描写された技術的構成をそのまま具備する限り、通常の知識を有する者がこれから容易に変更することができる範囲の技術的事項は本発明の範囲内に属するものと理解すべきであり、具体的には後述する特許請求範囲の均等な範囲に属する技術構成は全部本発明に属することに解釈すべきである。このような場合の代表的な例としては、セラミックスヒーターユニットがフィルムヒーターユニットで取り替えられる場合を挙げることができ、デザイン的要素の変更は本発明の技術的範囲に影響を及ぼさないことに理解すべきである。
【図１】
2019500124.tif 000003
【図２】
2019500124.tif 000004
【図３】
2019500124.tif 000005
【図４】
2019500124.tif 000006
【図５】
2019500124.tif 000007
【図６】
2019500124.tif 000008
【図７】
2019500124.tif 000009
【図８】
2019500124.tif 000010
【図９（ａ）】
2019500124.tif 000011
【図９（ｂ）】
2019500124.tif 000012
【図１０（ａ）】
2019500124.tif 000013
【図１０（ｂ）】
2019500124.tif 000014
【図１０（ｃ）】
2019500124.tif 000015
【図１１（ａ）】
2019500124.tif 000016
【図１１（ｂ）】
2019500124.tif 000017
【図１１（Ｃ）】
2019500124.tif 000018
【図１１（ｄ）】
2019500124.tif 000019
【図１２】
2019500124.tif 000020
【国際調査報告】
2019500124.tif 000021
2019500124.tif 000022
2019500124.tif 000023
2019500124.tif 000024
2019500124.tif 000025
2019500124.tif 000026